(57)【要約】【課題】像担持体に残留した残留現像剤の除去を効率的に行なう画像形成装置、及びクリーニング装置を提供する。【解決手段】露光手段により像担持体上に形成された静電潜像を現像剤を用いて現像する現像剤担持体を含む現像手段と、現像手段により像担持体に現像された現像剤像を転写体に転写する転写手段と、転写手段により転写体に現像剤像が転写された後に、像担持体に接触するブラシ部材と、ブラシ部材に交流電圧を印加する印加手段と、ブラシ部材が像担持体に接触した後に、像担持体と摺擦しながら像担持体に残留した残留現像剤を掻き取る板部材と、を有する。【選択図】図１２
2010122348.tif 000002
【特許請求の範囲】
【請求項１】
像担持体と、
前記像担持体を予め定められた電位に帯電させる帯電手段と、
前記帯電手段によって帯電された像担持体上を露光して像担持体上に静電潜像を形成する露光手段と、
前記露光手段により前記像担持体上に形成された静電潜像を現像剤を用いて現像する現像剤担持体を含む現像手段と、
前記現像手段により前記像担持体に現像された現像剤像を転写体に転写する転写手段と、
前記転写手段により前記転写体に現像剤像が転写された後に、前記像担持体に接触するブラシ部材と、
前記ブラシ部材に交流電圧を印加する印加手段と、
前記ブラシ部材が前記像担持体に接触した後に、前記像担持体と摺擦しながら該像担持体に残留した残留現像剤を掻き取る板部材と、
を有する画像形成装置。
【請求項２】
前記像担持体と前記板部材との間に潤滑剤を供給する供給手段を更に有する請求項１に記載の画像形成装置。
【請求項３】
前記像担持体の使用回数を計測する計測手段と、
前記計測手段により計測された使用回数が多くなるに従って、前記ブラシ部材に印加される交流電圧のピーク電圧を低くするように前記印加手段を制御する印加電圧制御手段と、
を更に有する請求項１又は請求項２に記載の画像形成装置。
【請求項４】
前記印加電圧制御手段は、前記計測手段により計測された使用回数が多くなるに従って、前記ブラシ部材に印加される交流電圧のピーク電圧を、前記ブラシ部材から前記像担持体に放電しない電圧となるように前記印加手段を制御する請求項３に記載の画像形成装置。
【請求項５】
前記計測手段により計測された使用回数が予め定められた回数以下の場合には、前記ブラシ部材に印加される交流電圧のピーク電圧を、前記ブラシ部材から前記像担持体に放電する電圧となるように前記印加手段を制御する印加電圧制御手段と、
を更に有する請求項３又は請求項４に記載の画像形成装置。
【請求項６】
前記像担持体の近傍の温度を検出する検出手段と、
前記検出手段により検出された温度が高くなるに従って、前記ブラシ部材に印加される交流電圧のピーク電圧を低くするように前記印加手段を制御する印加電圧制御手段と、
を更に有する請求項１又は請求項２に記載の画像形成装置。
【請求項７】
前記印加電圧制御手段は、前記検出手段により検出された温度が一定温度以上である場合に、前記ブラシ部材に交流電圧を印加しないように前記印加手段を制御する請求項６に記載の画像形成装置。
【請求項８】
転写手段により転写体に現像剤像が転写された後に、像担持体に接触するブラシ部材と、
前記ブラシ部材に交流電圧を印加する印加手段と、
前記ブラシ部材が前記像担持体に接触した後に、前記像担持体と摺擦しながら該像担持体に残留した残留現像剤を掻き取る板部材と、
を有するクリーニング装置。
【請求項９】
前記像担持体と前記板部材との間に潤滑剤を供給する供給手段を更に有する請求項８に記載のクリーニング装置。
【発明の詳細な説明】
【技術分野】
【０００１】
本発明は、画像形成装置、及びクリーニング装置に関する。
【背景技術】
【０００２】
トナーを除去するブレードからのすり抜けた外添剤を現像器でスキャベンジにすることで生じる帯電粒子除去電荷起因の電位変化により、画像と感光体位置の同期（シンクロ）を取った画像形成装置にて同一画像連続採取時にゴースト画像が発生することがある。これは、連続採取時において、すり抜けた外添剤の蓄積で顕在化するものであり、特に外添剤に中粒径（８０〜８００ｎｍ）の球形外添剤を用いた場合に顕著になる。
【０００３】
このようなトナーの除去に関する技術として、特許文献１には、クリーニングする毛体を導電性繊維によって形成すると共に、像形成面の表面電位よりも絶対値が大きな直流電圧にP-P値が１００Ｖから３ｋＶ、周波数１００Hzから１０ｋHzの交流電圧を重畳した交番電圧を上記毛体に印加する技術が開示されている。
【０００４】
また、特許文献２には、二成分現像方式を採用した画像形成装置に用いられ、トナー像担持体に先端が弾接するブレードと、このブレードの上流側でトナー像担持体表面に接触回転する導電性ブラシとを有するクリーニング装置において、上記トナー像担持体の導電性ブラシの上流側にトナーと同極性の電荷を付与するクリーニング前帯電手段を設け、上記導電性ブラシには少なくともクリーニング前帯電手段の電荷と逆極性のバイアスが含まれるバイアス印加手段を付加したことを特徴とするクリーニング装置が開示されている。
【０００５】
更に、特許文献３には、感光体表面の静電潜像を反転現像方式によりトナーで現像し、当該トナーを転写材に転写させた後、前記感光体表面に残留するトナーを、ブラシを感光体表面に接触させて除去するクリーニング装置において、前記ブラシの抵抗が１０３〜１０８Ω・ｃｍの範囲であり、ブラシ密度が３万〜１０万本／ｉｎｃｈ２の範囲であり、前記ブラシには、トナーの帯電極性と逆極性であり絶対値で表して１００〜３００Ｖの直流電圧に、周波数が１００〜２，０００Ｈｚでピーク間電圧が４００〜７００Ｖの交流電圧が重畳して印加され、かつ感光体との接触部において感光体の回転方向と逆方向にブラシを回転させることを特徴とするクリーニング装置が開示されている。
【特許文献１】特開昭６３−０２７８７４号公報
【特許文献２】特開平０５−１０７９９０号公報
【特許文献３】特開２０００−２７６０２０号公報
【発明の開示】
【発明が解決しようとする課題】
【０００６】
本発明は、像担持体に残留した残留現像剤の除去を効率的に行なう画像形成装置、及びクリーニング装置を提供することを目的とする。
【課題を解決するための手段】
【０００７】
上記目的を達成するために、請求項１の発明は、像担持体と、前記像担持体を予め定められた電位に帯電させる帯電手段と、前記帯電手段によって帯電された像担持体上を露光して像担持体上に静電潜像を形成する露光手段と、前記露光手段により前記像担持体上に形成された静電潜像を現像剤を用いて現像する現像剤担持体を含む現像手段と、前記現像手段により前記像担持体に現像された現像剤像を転写体に転写する転写手段と、前記転写手段により前記転写体に現像剤像が転写された後に、前記像担持体に接触するブラシ部材と、前記ブラシ部材に交流電圧を印加する印加手段と、前記ブラシ部材が前記像担持体に接触した後に、前記像担持体と摺擦しながら該像担持体に残留した残留現像剤を掻き取る板部材と、を有する。
【０００８】
また、請求項２の発明は、請求項１の発明において、前記像担持体と前記板部材との間に潤滑剤を供給する供給手段を更に有するものである。
【０００９】
また、請求項３の発明は、請求項１又は請求項２の発明において、前記像担持体の使用回数を計測する計測手段と、前記計測手段により計測された使用回数が多くなるに従って、前記ブラシ部材に印加される交流電圧のピーク電圧を低くするように前記印加手段を制御する印加電圧制御手段と、を更に有するものである。
【００１０】
また、請求項４の発明は、請求項３の発明において、前記印加電圧制御手段は、前記計測手段により計測された使用回数が多くなるに従って、前記ブラシ部材に印加される交流電圧のピーク電圧を、前記ブラシ部材から前記像担持体に放電しない電圧となるように前記印加手段を制御するものである。
【００１１】
また、請求項５の発明は、請求項３又は請求項４の発明において、前記計測手段により計測された使用回数が予め定められた回数以下の場合には、前記ブラシ部材に印加される交流電圧のピーク電圧を、前記ブラシ部材から前記像担持体に放電する電圧となるように前記印加手段を制御する印加電圧制御手段と、を更に有するものである。
【００１２】
また、請求項６の発明は、請求項１又は請求項２において、前記像担持体の近傍の温度を検出する検出手段と、前記検出手段により検出された温度が高くなるに従って、前記ブラシ部材に印加される交流電圧のピーク電圧を低くするように前記印加手段を制御する印加電圧制御手段と、を更に有するものである。
【００１３】
また、請求項７の発明は、請求項６の発明において、前記印加電圧制御手段は、前記検出手段により検出された温度が一定温度以上である場合に、前記ブラシ部材に交流電圧を印加しないように前記印加手段を制御するものである。
【００１４】
上記目的を達成するために、請求項８の発明は、転写手段により転写体に現像剤像が転写された後に、像担持体に接触するブラシ部材と、前記ブラシ部材に交流電圧を印加する印加手段と、前記ブラシ部材が前記像担持体に接触した後に、前記像担持体と摺擦しながら該像担持体に残留した残留現像剤を掻き取る板部材と、を有する。
【００１５】
また、請求項９の発明は、請求項８の発明において、前記像担持体と前記板部材との間に潤滑剤を供給する供給手段を更に有するものである。
【発明の効果】
【００１６】
請求項１及び請求項８の発明によれば、像担持体に残留した残留現像剤の除去を効率的に行なうことができる、という効果が得られる。
【００１７】
また、請求項２及び請求項９記載の発明によれば、本発明を適用しない場合に比較して、潤滑剤の供給により、残留現像剤を低減することができる、という効果が得られる。
【００１８】
また、請求項３記載の発明によれば、本発明を適用しない場合に比較して、像担持体及び板部材の劣化を抑制し、像担持体表面に被覆する被覆剤の消費ライフを長寿命化することができる、という効果が得られる。
【００１９】
また、請求項４記載の発明によれば、本発明を適用しない場合に比較して、像担持体及び板部材の劣化を抑制し、像担持体表面に被覆する被覆剤の消費ライフを長寿命化することができる、という効果が得られる。
【００２０】
また、請求項５記載の発明によれば、本発明を適用しない場合に比較して、実際に稼働してから電圧を制御することで、製造時に像担持体及び板部材に予め処理をする必要がないため、製造時のコストを削減することができる、という効果が得られる。
【００２１】
また、請求項６記載の発明によれば、本発明を適用しない場合に比較して、像担持体及び板部材の劣化を抑制し、像担持体表面に被覆する被覆剤の消費ライフを長寿命化することができる、という効果が得られる。
【００２２】
また、請求項７記載の発明によれば、本発明を適用しない場合に比較して、像担持体及び板部材の劣化を抑制することができる、という効果が得られる。
【発明を実施するための最良の形態】
【００２３】
以下、図面を参照して、本発明の実施の形態について詳細に説明する。なお、本実施の形態における現像剤は、後述するクリーニング器をすり抜けやすい外添剤（球状の中径粒子（80〜800ｎm)等）を含むトナーを用いており、以下の説明では現像剤のことを単にトナーと表現することがある。
【００２４】
本実施の形態に係る画像形成装置について、図面を用いて詳細に説明する。図１は、画像形成装置の一例を示す模式断面図である。
【００２５】
同図に示されるように画像形成装置は、ＣＭＹＫ（シアン、マゼンタ、イエロー、ブラック）毎に画像ユニット６０Ｃ、６０Ｍ、６０Ｙ、６０Ｋが設けられている。特に色を区別しない場合は、単に画像ユニット６０と表現する。
【００２６】
この画像形成装置において、記録媒体は給紙装置６４から給紙され、各ローラ６２により、画像ユニット６０Ｋ、６０Ｙ、６０Ｍ、６０Ｃを経由するように搬送され、各画像ユニット６０にて画像が転写された記録媒体は、定着器１８により熱および／または圧力等により画像が定着され、図示しないスタッカ等に排出される。
【００２７】
次に、図２を用いて、各画像ユニット６０の詳細について説明する。図２は、画像ユニットの一例を示す模式断面図である。図２に示す画像ユニット６０は、感光体（像担持体）１０と、感光体１０を予め定められた電位に帯電させる帯電器（帯電手段）１１と、帯電器１１によって帯電された感光体１０を露光して感光体１０上に静電潜像を形成する露光器（露光手段）１３と、露光器１３により感光体１０に形成された静電潜像を現像剤担持体１４−２を用いて現像する現像器（現像手段）１４と、現像器１４により感光体１０に現像された現像剤像を転写体２０に転写する転写器（転写手段）１５と、転写器１５により転写体２０に現像剤像が転写された後に、感光体１０に接触するブラシ部材（以下の説明では単にブラシと表現する）２２と、ブラシ２２に対して交流電圧を印加する交流電源２３（印加手段）と、ブラシ２２が感光体１０に接触した後に、感光体１０と摺擦しながら感光体１０に残留した残留現像剤を掻き取るブレード１９（板部材）と、を有する。ブレード１９の材質には、例えば、弾性ゴムであるポリウレタンを用いる。
【００２８】
また、感光体１０表面の残存電位を除去する除電器１７と、感光体１０の近傍の温度を検出する検出部２４（検出手段）とを更に有する。また、感光体１０とブレード１９とのの間に潤滑剤を供給する供給装置２５（供給手段）を有する。潤滑材は、感光体１０とブレード１９との間の密着性を向上させ、感光体上残留現像剤の除去性を良化させる働きを持つ。ブラシ２２は、潤滑剤に接触することで潤滑剤を自らに付着させて感光体１０に潤滑剤を供給するようになっている。潤滑剤は自らの重さによりブラシ２２に接触するようになっている。このことから潤滑剤のブラシ２２への荷重が重いほど、ブラシ２２には潤滑剤が付着することとなり、感光体１０により多くの潤滑剤が供給されることとなる。この場合、潤滑剤は減少していくため、荷重は軽くなる。
【００２９】
潤滑材の供給は、予め定められた容積に達することで消費ライフを終了する。そのため、潤滑剤の消費量を低くすることは、その消費ライフを長寿命化することとなる。また、潤滑剤の供給は、ブレード１９との密着性を向上させることにより、現像剤の除去性を良化させる一方、ブレード１９の摩耗を促進するという作用を有する。そのため、潤滑剤の消費量を低くすることは、ブレード１９の摩耗を抑制することとなる。
【００３０】
以上説明した画像ユニット６０は、上述したように感光体１０をクリーニングするものでもあるので、本発明のクリーニング装置に対応する。
【００３１】
図２における感光体１０の上には、コロトロン帯電器等の非接触帯電方式の帯電器１１が配置され、帯電器１１は、電源１２から供給される電圧により作動する。帯電器１１としては、本例では、非接触帯電方式のものを用いているが、本発明において、接触帯電方式、非接触帯電方式の別は問われない。また、現像器１４も電源１２から供給される電圧により作動し、供給された電圧を用いてトナーに電位を印加する。
【００３２】
クリーニング器１６は、箱体２１の開口部に上記ブレード１９、ブラシ２２、供給装置２５、及び交流電源２３が具備されて構成され、感光体１０表面からブレード１９及びブラシ２２により除去された残留トナー等は、箱体２１内に収容される構造になっている。
【００３３】
その他、露光器１３、現像器１４、転写器１５、除電器１７、定着器１８の構成は、本発明において特に制限されるものではなく、電子写真分野において従来公知のあらゆる構成をそのまま適用することができる。
【００３４】
図２の画像ユニットを用いて、本発明の画像形成方法を説明する。感光体１０の表面は、帯電器１１により一様に帯電された上で、露光器１３により潜像が形成される（潜像形成工程）。感光体１０の表面に形成された潜像は、現像器１４に内蔵されたトナーにより現像され、トナー像が形成される（現像工程）。感光体１０の表面に形成されたトナー像は、感光体１０と、それに対向する転写器１５との間の転写体２０表面に転写され（転写工程）、転写体２０から記録媒体に転写され、転写された画像は、定着器１８によって熱や圧力等により記録媒体に定着される。
【００３５】
一方、転写後の感光体１０表面の残留トナーは、その外添剤の一部がすり抜けるものの、ブレード１９及びブラシ２２を具備したクリーニング器１６により除去される（クリーニング工程）。そして、次の画像形成サイクルに進む前に、感光体１０表面の残存電位が、除電器１７により除去される。
【００３６】
次に、図３を用いて画像形成装置の電気的構成について説明する。画像形成装置は、ＣＰＵ（Central Processing Unit）４０と、フラッシュメモリ４２と、ＲＡＭ（Random Access Memory）４４と、ＮＶＭ（Non-Volatile Memory）４６と、ＵＩ（User Interface）４８と、ＨＤＤ（Hard Disk Drive）５０と、プリンタエンジン５２と、通信Ｉ／Ｆ（インタフェース）５４と、バス５６とを含む。
【００３７】
ＣＰＵ４０は、画像形成装置の全体の動作を司るものであり、後述するフローチャートに示される処理は、ＣＰＵ４０により実行される。フラッシュメモリ４２は、ＲＡＭ４４に展開されるプログラム及び起動時に動作するブートプログラム等が記憶されている。
【００３８】
ＲＡＭ４４は、ＯＳ（Operating System）やプログラムや画像情報等が展開される記憶装置である。ＮＶＭ４６には、画像形成装置に係る設定値等が記憶される。
【００３９】
通信Ｉ／Ｆ５４は、ネットワークに接続するためのＮＩＣ（Network Interface Card）やそのドライバ、或いはＵＳＢデバイス等を含んで構成される。
【００４０】
プリンタエンジン５２は、紙などの記録媒体に画像を形成するエンジンであり、図２に示した構成が含まれる。ＨＤＤ５０は、画像情報等が記録される記憶装置である。ＵＩ４８は、利用者が画像形成装置の操作や情報を入力する際に用いられるものである。バス５６は、情報のやりとりが行われる際に使用される。
【００４１】
なお、以上説明した構成に、例えばスキャナエンジンや、電話回線と接続するためのインタフェース等、画像処理に関するものを加えるようにしても良い。
【００４２】
以上の構成を踏まえ、以下本実施の形態に係る処理について説明する。まず、上述したクリーニング器１６を通過しても、外添剤がすり抜けて感光体１０上に残留することがあり、この残留外添剤によるゴースト画像が発生する過程を図４を用いて説明する。同図は、グラフと感光体１０表面の外添剤及び像担持体帯電電荷の様子を示している。グラフと感光体１０表面を示す図は、上下に各々対応している。また、グラフの横軸は、対応する感光体１０表面の位置を示し、縦軸は電位を示している。更に、黒丸は外添剤を示し、白丸の中に「−」（マイナス）が描かれたものは感光体１０の帯電電荷を示し、単純な白丸はトナーを示している。
【００４３】
なお、本実施の形態では、感光体１０表面及びトナーはマイナスに帯電されるものとする。それに伴い、同図に示されるグラフの縦軸は、負の大きさを示すものとなっている。
【００４４】
まず、（１）は、クリーニング器１６通過後の感光体表面に外添剤がすり抜けた様子が示されている。外添剤がすり抜けた場合、図５（Ａ）に示されるように、感光体１０上に筋状にすり抜けた外添剤が観察される。
【００４５】
次の（２）は、帯電器１１により、感光体１０表面が一様に帯電された様子が示されている。（３）は、露光器１３により、画像が描かれる画像部に対応する部分が露光された様子が示されている。
【００４６】
そして、（４）に示されるように、負帯電された外添剤すり抜け層は、現像器１４で一部剥ぎ取られ、剥ぎ取られた部分の電位が低下するため、外添剤すり抜けの無いところに比べ表面電位が低下し、トナーに印加された電位と画像部の電位との差が増加するため、（５）に示されるようにトナーが増える。
【００４７】
これにより発生するゴースト画像は、転写電界履歴または露光履歴による感光体１０の電位変動に起因した感光体ピッチの感光体ゴーストとは異なるものである。特に、球状の中径粒子を外添剤として使用するケースで顕在化するものである。また、強い帯電性を有する粒子を外添剤として使用するケースで顕在化するものである。
【００４８】
外添剤として、例えば、球形・強負帯電で１００μｍ程度の粒径からなるシリカ（ＳｉＯ２）を使用した場合、シリカ自身の帯電性によりトナー粒子の帯電を補助する働きを持つ。一方、上述の外添剤すり抜けに起因するゴースト画像が顕在化するものである。
【００４９】
図５（Ｂ）は、ゴースト画像とすり抜けた外添剤の量との関係を示すグラフである。また、同図（Ｃ）は、縦帯チャートが形成された記録媒体を示し、その下方の薄く塗られた領域にはゴースト画像が示されている。このゴースト画像は、縦帯チャートを繰り返し数十枚形成された後に形成された画像を示している。
【００５０】
また、上記グラフの横軸は、同図（Ｃ）に示される縦帯チャートが形成されていた画像部（同図では、○で示される部分）に対応する感光体１０上の領域ですり抜けた外添剤（ここではケイ素）の量を示している。そして、縦軸ΔＬ＊は、上述した画像部と、縦帯チャートが形成されない非画像部（同図では、×で示される部分）との明度差を示している。明度差が大きいほど、目立ちやすいゴースト画像が発生していることとなる。この明度差によりゴースト画像を定量化している。以下の説明で用いられるΔＬ＊も同じ意味である。
【００５１】
グラフに示されるように、すり抜け量が増加するに従って、明度差も増加することが示している。従って、感光体１０の電位変動に起因した感光体ピッチの感光体ゴーストとは異なるものであることが分かる。
【００５２】
次に、ブラシ２２に交流電圧を印加することにより、ゴースト画像が抑制されたことを示す例について、図６を用いて説明する。図６（Ａ）は、横軸がブラシ２２に印加されるピーク電圧を示しており、縦軸が上述した明度差ΔＬ＊を示している。
【００５３】
同グラフには低湿度で常温（１５℃〜２５℃）の場合と、低湿度で低温（〜１５℃）の場合に実験された結果が示されているが、いずれの場合も、ピーク電圧が高くなるに従って、明度差が減少することが示されている。また、温度が高いほど、明度差が小さいことも分かる。従って、温度が高い場合には、ブラシ２２に印加する電圧を、温度が高い時と比較して低電圧とすることができる。高温（２５℃〜）では、ブラシ２２に交流電圧を印加しない条件においても明度差が小さい。
【００５４】
また、同図（Ｂ）は、横軸にブレード１９、ブラシ２２、及び交流電圧印加の有無（有は○、無は×）を示し、縦軸に残留現像剤が感光体１０を被覆している率を示したグラフである。（ａ）は、ブレード１９、及びブラシ２２が設けられ、交流電圧がブラシ２２に印加されたケースを示している。（ｂ）は、ブラシ２２が設けられ、交流電圧がブラシ２２に印加されたケースを示している。（ｃ）は、ブラシ２２が設けられたケースを示している。（ｄ）は、ブレード１９、及びブラシ２２が設けられたケースを示している。
【００５５】
また、同図（Ｂ）には、感光体１００回転後の被覆率と、１回転後の被覆率とが示されている。
【００５６】
被覆率が高いほど、残留現像剤が多いことを示すので、最も良い結果となっているのは、ケース（ａ）の場合である。
【００５７】
また、このグラフで重要なことは、ブラシ２２有りで、交流電圧を印加した場合（ｂ）とそうでない場合（ｃ）とでは、被覆率にほとんど差が生じていないことである。これは、交流電圧を印加されたブラシ２２自体が現像剤を除去するものではないことを示している。
【００５８】
このことから、交流電圧を印加されたブラシ２２は、ブレード１９が現像剤を掻き取りやすくする作用を生じさせていると考えられる。交流電圧が印加された従来のブラシはそれ自体が現像剤を除去するものであったことと比較すると、交流電圧が印加されたブラシとブレードの単なる組み合わせた場合に推測される作用とは異なる作用が生じている。
【００５９】
次の図７に示される２つのグラフは、ブラシ２２に交流電圧を印加した場合の弊害を示すものである。
【００６０】
同図（Ａ）は、横軸がブラシ２２に印加されるピーク電圧を示し、縦軸が接触角を示している。この接触角は、ブレード１９と感光体１０との摩擦の大きさを示す指標となるもので、大きいほど摩擦が大きいことを示している。同図に示されるように、ピーク電圧が大きければ大きいほど、接触角が大きくなり、特に２ｋＶ前から接触角が急激に上昇している。
【００６１】
これは、ピーク電圧が高くなると、ブラシ２２から感光体１０に対して放電が発生し、これによりＮｏｘ等の放電性物質が生じ、それらが感光体１０に付着することにより、摩擦が大きくなるためである。
【００６２】
同図（Ｂ）の横軸はブラシ２２に印加されるピーク電圧を示し、縦軸はブラシ２２に流れる電流Ｉａｃを示している。この場合も、２ｋＶ前から電流が急激に上昇しているので、ブラシ２２から感光体１０に対して放電が発生していることが分かる。
【００６３】
このように、ブラシ２２に印加するピーク電圧を必要以上に印加すると、感光体１０とブレード１９の劣化を早めることとなる。
【００６４】
次に、感光体１０とブレード１９との密着性を向上させる潤滑剤を供給した場合のΔＬ＊についての実験結果を図８に示す。本実施の形態で用いられる潤滑剤は、ステアリン酸亜鉛（以降、ＺｎＳｔ）としている。
【００６５】
図８に示されるグラフは、ＺｎＳｔの供給、及び交流電圧の印加の有無により、ΔＬ＊がどのような値をとるかを示すグラフであり、横軸が実際に記録媒体に画像を形成した回数、すなわち感光体１０の使用回数（ＰＶ数）を示し、縦軸がΔＬ＊を示している。
【００６６】
具体的には、「ＺｎＳｔ無し、ＡＣ無し」、「ＺｎＳｔ（25ｇ）、ＡＣ無し」、「ＺｎＳｔ（40ｇ）、ＡＣ無し」、「ＺｎＳｔ（40ｇ）、ＡＣ1.5ｋＶ」、及び「ＺｎＳｔ（40ｇ）、ＡＣ2.5ｋＶ」の５通りの結果が示されている。
【００６７】
なお、ＺｎＳｔ無しとは、ＺｎＳｔを全く供給しないことを示し、ＺｎＳｔ（Ｘｇ）は、ＺｎＳｔをＸｇの荷重をブラシ２２にかけて供給することを示し、この場合、Ｘが大きいほど、ＺｎＳｔが感光体１０に供給されることを示している。また、ＡＣ無しは、ブラシ２２に交流電圧が印加されないことを示し、ＡＣ  ＹｋＶは、ブラシ２２にピーク電圧がＹｋＶの交流電圧が印加されることを示している。
【００６８】
このグラフに示されるように、ＺｎＳｔを全く供給せず、更に交流電圧をブラシ２２に印加しない場合が最もΔＬ＊が大きく、ＺｎＳｔを供給し、更に比較的高い交流電圧をブラシ２２に印加する場合が最もΔＬ＊が小さくなる。特に、「ＺｎＳｔ（40ｇ）、ＡＣ2.5ｋＶ」の場合のΔＬ＊は、ほぼ平坦な直線となる。
【００６９】
従って、潤滑剤を供給し、ブラシ２２に交流電圧を印加すると、ΔＬ＊が小さくなることがこのグラフに示されている。また、使用回数が多いほど、ΔＬ＊が小さくなることがこのグラフに示されている。逆に、使用回数が少ないときは、高めのピーク電圧を印加する必要があることが示されている。更に、潤滑剤を供給すると、ΔＬ＊が小さくなることから、残留現像剤を低減することができることもこのグラフに示されている。
【００７０】
また、図９（Ａ）のグラフは、横軸がＺｎＳｔの供給量（記録媒体１枚にあたりのＺｎＳｔの量）、縦軸が２０００枚の記録媒体に画像を形成した後のΔＬ＊を示している。同図に示されるように、供給量が多いほど、ΔＬ＊は小さくなることが示されている。
【００７１】
更に、図９（Ｂ）のグラフは、横軸がＺｎＳｔのブラシ２２への荷重を示し、縦軸がＺｎＳｔの消費率（記録媒体１枚に要するＺｎＳｔの量）を示している。同図に示されるように、交流電圧を印加した場合は、印加しない場合と比較して、傾きが大きくなるため、ＺｎＳｔのブラシ２２への荷重が軽い状態になった場合でも、印加する交流電圧によりＺｎＳｔの消費率を自在に操作することができる。
【００７２】
ブラシ２２に印加するピーク電圧を必要以上に印加すると、潤滑剤であるＺｎＳｔの消費量を高めることとなる。このことから、感光体１０の使用回数が多い場合や感光体１０近傍の計測温度が高い場合に、ブラシ２２に必要以上の電圧を印加することは潤滑材の消耗ライフを短くし、ブレード１９の摩耗が増加することになる。
【００７３】
図１０（Ａ）のグラフは、横軸がブラシ２２への交流電圧の印加の有無を示し、縦軸が感光体１０におけるＺｎＳｔの被覆率を示している。そして、供給装置２５によってＺｎＳｔを供給する場合と、外添剤にＺｎＳｔを混入させた場合の結果を示している。
【００７４】
いずれの場合であっても、ブラシ２２への交流電圧を印加した方が、被覆率が高いことが示されている。
【００７５】
また、図１０（Ｂ）のグラフは、横軸が上述した画像部におけるＺｎＳｔの被覆率を示し、縦軸が画像部におけるＳｉのすり抜け量を示している。ＺｎＳｔの被覆率が高いほど、Ｓｉのすり抜け量が低くなることが示されている。
【００７６】
次に、フローチャートを用いて、各処理について説明する。以下に説明するフローチャートは、ＣＰＵ４０により実行される処理を示している。
【００７７】
まず、図１１に示されるフローチャートは、感光体１０の使用回数が多くなるに従って、ブラシ２２に印加される交流電圧のピーク電圧を低くするように交流電源２３を制御する処理を示している。
【００７８】
また、同図に示されるフローチャートは、感光体１０の使用回数が多くなるに従って、ブラシ２２に印加される交流電圧のピーク電圧を、ブラシ２２から感光体１０に放電しない電圧となるように交流電源２３を制御する処理を示している。
【００７９】
更に、同図に示されるフローチャートは、感光体１０の使用回数が予め定められた回数以下の場合には、ブラシ２２に印加される交流電圧のピーク電圧を、ブラシ２２から感光体１０に放電する電圧となるように交流電源２３を制御する処理を示している。
【００８０】
なお、感光体１０の使用回数を計測する計測手段は、ＣＰＵ４０であり、具体的にＣＰＵ４０は、使用する毎にフラッシュメモリ４２に記憶されているカウンタを更新することで計測する。
【００８１】
まず、ステップ１０１で、使用回数Ｎを取得する。そして、ステップ１０２で、Ｎが１００以下か否か判定する。否定判定した場合には、ステップ１０４に処理が進み、肯定判定した場合には、ステップ１０３で、２．５ｋＶをブラシに印加して、処理を終了する。この２．５ｋＶは、図７に示したグラフによれば、放電する電圧である。
【００８２】
ステップ１０４で、Ｎが１００より大きく３００以下か否か判定する。ステップ１０４で肯定判定した場合には、ステップ１０５で２．０ｋＶをブラシに印加して、処理を終了する。一方、ステップ１０４で否定判定した場合には、ステップ１０６で１．５ｋＶをブラシに印加して、処理を終了する。この１．５ｋＶは、図７に示したグラフによれば、放電しない電圧である。
【００８３】
次に、図１２を用いて、検出部２４により検出された温度が高くなるに従って、ブラシ２２に印加される交流電圧のピーク電圧を低くするように交流電源２３を制御する処理を示している。
【００８４】
まず、ステップ２０１で、使用回数Ｎを取得する。そして、ステップ２０２で、Ｎが１００以下か否か判定する。否定判定した場合には、ステップ２０４に処理が進み、肯定判定した場合には、ステップ２０３で、モード１で動作するようにして、処理を終了する。このモード１とは、図１３に示されるように、温度が〜15℃の場合は、2.5ｋＶをブラシ２２に印加し、温度が15℃〜25℃の場合は、2.0ｋＶをブラシ２２に印加し、温度が25℃〜の場合は、ブラシ２２に交流電圧を印加しないモードである。
【００８５】
ステップ２０４で、Ｎが１００より大きく３００以下か否か判定する。ステップ２０４で肯定判定した場合には、ステップ２０５でモード２で動作するようにして、処理を終了する。このモード２とは、図１３に示されるように、温度が〜15℃の場合は、2.0ｋＶをブラシ２２に印加し、温度が15℃〜25℃の場合は、1.5ｋＶをブラシ２２に印加し、温度が25℃〜の場合は、ブラシ２２に交流電圧を印加しないモードである。
【００８６】
一方、ステップ２０４で否定判定した場合には、ステップ２０６でモード３で動作するようにして、処理を終了する。このモード３とは、図１３に示されるように、温度が〜25℃の場合は、1.5ｋＶをブラシ２２に印加し、温度が25℃〜の場合は、ブラシ２２に交流電圧を印加しないモードである。
【００８７】
また、図１２は、検出部２４により検出された温度が一定以上である場合には、ブラシ２２に交流電圧を印加しないように交流電源２３を制御する処理を示している。すなわち、図６に示されるように高温（２５℃〜）では明度差が小さく、モード１〜３のいずれに対しても、ブラシ２２に交流電圧を印加しない制御である。
【００８８】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【００８９】
図１４は、ブラシ２２に関する各種パラメータ（交流電圧の波形、ピーク電圧、周波数、交流電圧のＤＣ成分、ブラシの種類）の要因効果を示すグラフである。縦軸は、外添すり抜けに起因するゴーストの指標である明度差ΔＬ＊を、横軸は、ブラシ２２に関する交流電圧を中心とする上記各パラメータを意味する。図１４に示されるように、ΔＬ＊に対して、ピーク電圧（Ｖｐｐ）の効果が最も高い。すなわち、図６に示される結果と同様に、ピーク電圧を高くするに従って上述のゴーストが良化することがわかる。
【００９０】
また、図１４は、ピーク電圧に続いて、交流電圧のＤＣ成分（ＤＣバイアス）の効果が高いことを示している。すなわち、ＤＣ成分をマイナス側からプラス側に設定するに従って上述のゴーストが良化することがわかる。このとき、ブラシ２２当接位置における感光体１０の表面電位はおよそ−３００Ｖであり、感光体１０とブラシ２２との間の電位差をブラシ２２がプラス側となるように設定することを示している。すなわち、ブラシ２２の交流電圧のＤＣ成分は、例えば、感光体１０表面電位に比べてプラス側である０Ｖに設定するとよい。
【００９１】
上記の他、図１４は、交流電圧の波形として、Ｓｉｎ波よりも矩形波の方がΔＬ＊が低く、上記ゴーストが良化することがわかる。すなわち、ブラシ２２の交流電圧の波形は、矩形波に設定することが好ましい。
【００９２】
更に、図１４には、周波数が高いほどゴーストが良化することが示され、またブラシの種類（タイプＡ、Ｂ、Ｃ）はゴーストに対して目立った違いを生じさせないことが示されている。
【図面の簡単な説明】
【００９３】
【図１】画像形成装置の一例を示す模式断面図である。
【図２】画像ユニットの一例を示す模式断面図である。
【図３】画像形成装置の電気的構成を示す図である。
【図４】残留外添剤によるゴースト画像が発生する過程を示す図である。
【図５】外添剤のすり抜けに関する図である。
【図６】ゴースト画像の発生と関連する要因との関係を示す図である。
【図７】交流電圧の印加に伴う弊害を示す図である。
【図８】潤滑剤を供給と明度差との関係を示すグラフである。
【図９】ＺｎＳｔに関するグラフである（その１）。
【図１０】ＺｎＳｔに関するグラフである（その２）。
【図１１】感光体の使用回数によるピーク電圧の制御例を示す処理の流れを示すフローチャートである。
【図１２】温度によるピーク電圧の制御例を示す処理の流れを示すフローチャートである。
【図１３】各モードを示す図である。
【図１４】ブラシに関する各種パラメータの要因効果を示すグラフである。
【符号の説明】
【００９４】
１０  感光体
１１  帯電器
１２  電源
１３  露光器
１４  現像器
１４−２  現像剤担持体（現像ロール）
１５  転写器
１６  クリーニング器
１７  除電器
１８  定着器
１９  ブレード
２０  転写体
２２  ブラシ
２３  交流電源
２４  検出部
２５  供給装置
４０  ＣＰＵ
５２  プリンタエンジン
６０、６０Ｃ、６０Ｍ、６０Ｙ、６０Ｋ  画像形成ユニット
【図１】
2010122348.tif 000003
【図２】
2010122348.tif 000004
【図３】
2010122348.tif 000005
【図４】
2010122348.tif 000006
【図６】
2010122348.tif 000007
【図７】
2010122348.tif 000008
【図８】
2010122348.tif 000009
【図９】
2010122348.tif 000010
【図１０】
2010122348.tif 000011
【図１１】
2010122348.tif 000012
【図１２】
2010122348.tif 000013
【図１３】
2010122348.tif 000014
【図１４】
2010122348.tif 000015
【図５】
2010122348.tif 000016